(57)【要約】【課題】テレビジョン受信機能等を備えた携帯端末装置において、アンテナを回転させることでチャンネル切り替え等の機能を実行可能とし、操作性の向上を図る。【解決手段】携帯端末装置１０は、アンテナ軸の一部に突起部を設けたアンテナ部１、アンテナ部１を回転可能に収納し且つ前記突起部の位置を検出する検出手段（操作ボタンなど）を３つ以上設けたアンテナ収納部、前記突起部の位置情報からアンテナ部１の回転方向を検出する回転検出部１１を備える。例えば、アンテナ部１の回転時に、前記突起部によりいずれかの操作ボタンが押下され、その操作ボタンの位置情報を前記突起部の第１の位置情報とし、さらにアンテナ部１が回転され、前記突起部により押下された他の操作ボタンの位置情報を前記突起部の第２の位置情報とし、前記第１及び第２の位置情報からアンテナ部１の回転方向を検出し、その回転方向に関連付けた機能を実行可能とする。【選択図】図２
2005328234.tif 000002
【特許請求の範囲】
【請求項１】
複数の機能を備えた携帯端末装置において、アンテナ軸の少なくとも一部に突起部を設けたアンテナ部と、該アンテナ部を回転可能に収納するアンテナ収納部と、前記突起部の位置情報から前記アンテナ部の前記アンテナ収納部に対する回転方向を検出する回転検出手段とを備え、該検出した回転方向に予め関連付けられた機能を実行できるようにしたことを特徴とする携帯端末装置。
【請求項２】
請求項１に記載の携帯端末装置において、前記アンテナ収納部は、前記アンテナ部を回転させたときに前記突起部の位置を検出するための検出手段を３つ以上設けたことを特徴とする携帯端末装置。
【請求項３】
請求項２に記載の携帯端末装置において、前記検出手段として、前記突起部により押下可能な操作ボタンを前記アンテナ収納部に３つ以上設け、前記回転検出手段は、前記アンテナ部の回転時に、前記突起部によりいずれかの操作ボタンが押下され、該押下された操作ボタンの位置情報を前記突起部の第１の位置情報とし、さらに、前記アンテナ部が回転されたときに、前記突起部により押下された他の操作ボタンの位置情報を前記突起部の第２の位置情報とし、前記第１の位置情報及び第２の位置情報から前記アンテナ部の前記アンテナ収納部に対する回転方向を検出することを特徴とする携帯端末装置。
【請求項４】
請求項２に記載の携帯端末装置において、前記検出手段として、前記突起部を検出可能なセンサを前記アンテナ収納部に３つ以上設け、前記回転検出手段は、前記アンテナ部の回転時に、前記突起部をいずれかのセンサが検出し、該検出したセンサの位置情報を前記突起部の第１の位置情報とし、さらに、前記アンテナ部が回転されたときに、前記突起部を検出した他のセンサの位置情報を前記突起部の第２の位置情報とし、前記第１の位置情報及び第２の位置情報から前記アンテナ部の前記アンテナ収納部に対する回転方向を検出することを特徴とする携帯端末装置。
【請求項５】
請求項１乃至４のいずれか１に記載の携帯端末装置において、テレビジョン受信手段を備え、前記回転検出手段によって検出された回転方向に、前記テレビジョン受信手段のチャンネル切り替え機能が関連付けされていることを特徴とする携帯端末装置。
【請求項６】
アンテナ軸の少なくとも一部に突起部を設けたアンテナ部と、該アンテナ部を回転可能に収納するアンテナ収納部とを備え、前記アンテナ部を回転させたときに前記突起部の位置を検出するための検出手段を前記アンテナ収納部に３つ以上設けた携帯端末装置の操作方法において、前記アンテナ部の回転時に、前記突起部をいずれかの検出手段が検出し、該検出手段の位置情報を前記突起部の第１の位置情報とし、さらに、前記アンテナ部が回転されたときに、前記突起部を検出した他の検出手段の位置情報を前記突起部の第２の位置情報とし、前記第１の位置情報及び第２の位置情報から前記アンテナ部の前記アンテナ収納部に対する回転方向を検出し、該検出した回転方向に予め関連付けられた機能を実行できるようにしたことを特徴とする携帯端末装置の操作方法。
【請求項７】
前記検出手段として、前記突起部により押下可能な操作ボタンを前記アンテナ収納部に３つ以上設け、前記アンテナ部の回転時に、前記突起部によりいずれかの操作ボタンが押下され、該押下された操作ボタンの位置情報を前記突起部の第１の位置情報とし、さらに、前記アンテナ部が回転されたときに、前記突起部により押下された他の操作ボタンの位置情報を前記突起部の第２の位置情報とし、前記第１の位置情報及び第２の位置情報から前記アンテナ部の前記アンテナ収納部に対する回転方向を検出し、該検出した回転方向に予め関連付けられた機能を実行できるようにしたことを特徴とする請求項６に記載の携帯端末装置の操作方法。
【請求項８】
前記検出手段として、前記突起部を検出可能なセンサを前記アンテナ収納部に３つ以上設け、前記アンテナ部の回転時に、前記突起部をいずれかのセンサが検出し、該検出したセンサの位置情報を前記突起部の第１の位置情報とし、さらに、前記アンテナ部が回転されたときに、前記突起部を検出した他のセンサの位置情報を前記突起部の第２の位置情報とし、前記第１の位置情報及び第２の位置情報から前記アンテナ部の前記アンテナ収納部に対する回転方向を検出し、該検出した回転方向に予め関連付けられた機能を実行できるようにしたことを特徴とする請求項６に記載の携帯端末装置の操作方法。
【発明の詳細な説明】
【技術分野】
【０００１】
本発明は、携帯端末装置及び携帯端末装置の操作方法、より詳細には、電話機能に加えて、デジタルカメラ機能やテレビジョン受信機能などの複数の機能を備えた携帯端末装置及びその携帯端末装置の操作方法に関する。
【背景技術】
【０００２】
近年、例えば、携帯電話などの携帯端末装置には電話としての機能以外にデジタルカメラ機能やテレビジョン受信機能などの複数の機能が付加されることが多くなっている。通常、携帯電話には番号（ダイヤル）キーや方向キーなどの複数の操作キーが設けられており、これらの操作キーのいずれかにデジタルカメラやテレビジョン受信に関する機能が割り当てられている。例えば、携帯電話でテレビジョン放送を受信する場合、方向キーなどにチャンネルの切り替え機能が割り当てられ、ユーザは方向キーの操作で受信チャンネルを切り替えることができる。
【０００３】
しかし、ユーザは、携帯電話が備える操作キーに、どの機能が割り当てられているかを把握しておく必要があり、わかりにくく、操作しにくいという問題がある。また、新たな追加機能に合わせて操作キーを追加していくと、携帯電話の筐体が大きくなってしまうなど、当初のデザインを維持することができなくなる。また、最近の携帯電話はクラムシェル型のものが多く、閉じた状態で機能を実行するものも多くなっているが、その場合にはキー部分が内側となった状態で閉じられてしまうため、外側に最小限のキーのみしか追加できず、これらの限られたキーだけでは操作しにくい。
【０００４】
上記のごとく問題に対して、例えば、特許文献１には、デジタルカメラ付き携帯端末機において、デジタルカメラのシャッターボタンの機能をアンテナに付与したものが開示されている。これは、デジタルカメラとして使用する際に、アンテナのヘッド部を押し込むと、マイクロスイッチのボタンが押されて撮影機構に被写体を撮影する指示が出力されるようにしたもので、シャッターボタンのために操作キーを新たに追加する必要がなく、携帯端末機本体の当初のデザインをそのまま維持することができる。
【特許文献１】特開２００３−１１６０３７号公報
【発明の開示】
【発明が解決しようとする課題】
【０００５】
しかしながら、上記特許文献１に記載の発明では、デジタルカメラのシャッターボタンの機能を、アンテナを上下方向に変位させることで実現しているが、スクロール機能などのように連続で操作キーを押下げて実行する機能をアンテナで行えるようには構成されていない。より具体的に言えば、例えば、テレビジョン受信機能などを追加した場合、チャンネル切り替え機能などを、アンテナを利用して実現することはできないため、チャンネル切り替え機能のために操作キーを新たに追加する必要がある。
【０００６】
本発明は、上述のごとき実情に鑑みてなされたものであり、テレビジョン受信機能などの複数の機能を備えた携帯端末装置において、方向キーなどの操作キーを用いることなく、アンテナを回転させることでチャンネル切り替えなどの機能を実行可能とし、操作性の向上を図るようにしたこと、を目的としてなされたものである。
【課題を解決するための手段】
【０００７】
上記目的を達成するために、第１の技術手段は、複数の機能を備えた携帯端末装置において、アンテナ軸の少なくとも一部に突起部を設けたアンテナ部と、該アンテナ部を回転可能に収納するアンテナ収納部と、前記突起部の位置情報から前記アンテナ部の前記アンテナ収納部に対する回転方向を検出する回転検出手段とを備え、該検出した回転方向に予め関連付けられた機能を実行できるようにしたことを特徴としたものである。
【０００８】
第２の技術手段は、第１の技術手段において、前記アンテナ収納部は、前記アンテナ部を回転させたときに前記突起部の位置を検出するための検出手段を３つ以上設けたことを特徴としたものである。
【０００９】
第３の技術手段は、第２の技術手段において、前記検出手段として、前記突起部により押下可能な操作ボタンを前記アンテナ収納部に３つ以上設け、前記回転検出手段は、前記アンテナ部の回転時に、前記突起部によりいずれかの操作ボタンが押下され、該押下された操作ボタンの位置情報を前記突起部の第１の位置情報とし、さらに、前記アンテナ部が回転されたときに、前記突起部により押下された他の操作ボタンの位置情報を前記突起部の第２の位置情報とし、前記第１の位置情報及び第２の位置情報から前記アンテナ部の前記アンテナ収納部に対する回転方向を検出することを特徴としたものである。
【００１０】
第４の技術手段は、第２の技術手段において、前記検出手段として、前記突起部を検出可能なセンサを前記アンテナ収納部に３つ以上設け、前記回転検出手段は、前記アンテナ部の回転時に、前記突起部をいずれかのセンサが検出し、該検出したセンサの位置情報を前記突起部の第１の位置情報とし、さらに、前記アンテナ部が回転されたときに、前記突起部を検出した他のセンサの位置情報を前記突起部の第２の位置情報とし、前記第１の位置情報及び第２の位置情報から前記アンテナ部の前記アンテナ収納部に対する回転方向を検出することを特徴としたものである。
【００１１】
第５の技術手段は、第１乃至第４のいずれか１の技術手段において、テレビジョン受信手段を備え、前記回転検出手段によって検出された回転方向に、前記テレビジョン受信手段のチャンネル切り替え機能が関連付けされていることを特徴としたものである。
【００１２】
第６の技術手段は、アンテナ軸の少なくとも一部に突起部を設けたアンテナ部と、該アンテナ部を回転可能に収納するアンテナ収納部とを備え、前記アンテナ部を回転させたときに前記突起部の位置を検出するための検出手段を前記アンテナ収納部に３つ以上設けた携帯端末装置の操作方法において、前記アンテナ部の回転時に、前記突起部をいずれかの検出手段が検出し、該検出手段の位置情報を前記突起部の第１の位置情報とし、さらに、前記アンテナ部が回転されたときに、前記突起部を検出した他の検出手段の位置情報を前記突起部の第２の位置情報とし、前記第１の位置情報及び第２の位置情報から前記アンテナ部の前記アンテナ収納部に対する回転方向を検出し、該検出した回転方向に予め関連付けられた機能を実行できるようにしたことを特徴としたものである。
【００１３】
第７の技術手段は、第６の技術手段において、前記検出手段として、前記突起部により押下可能な操作ボタンを前記アンテナ収納部に３つ以上設け、前記アンテナ部の回転時に、前記突起部によりいずれかの操作ボタンが押下され、該押下された操作ボタンの位置情報を前記突起部の第１の位置情報とし、さらに、前記アンテナ部が回転されたときに、前記突起部により押下された他の操作ボタンの位置情報を前記突起部の第２の位置情報とし、前記第１の位置情報及び第２の位置情報から前記アンテナ部の前記アンテナ収納部に対する回転方向を検出し、該検出した回転方向に予め関連付けられた機能を実行できるようにしたことを特徴としたものである。
【００１４】
上記各技術手段により、テレビジョン受信機能などの複数の機能を備えた携帯端末装置において、アンテナを回転することによって操作キー入力と同等な機能を実行できるようにしたため、連続で操作キーを押下することで実行するスクロール機能などを、アンテナを回すという操作のみで行うことが可能となり、使用者はテレビジョン受信機能などの複数の機能を簡単に使用できるようになり、また、既存のアンテナ部分を利用するため、当初のデザインをそのまま維持することができる。
【発明の効果】
【００１５】
テレビジョン受信機能などの複数の機能を備えた携帯端末装置において、アンテナを回転することによって操作キー入力と同等な機能を実行できるようにしたため、連続で操作キーを押下することで実行するスクロール機能などを、アンテナを回すという操作のみで行うことが可能となり、使用者はテレビジョン受信機能などの複数の機能を簡単に使用できるようになり、また、既存のアンテナ部分を利用するため、当初のデザインをそのまま維持することができる。
【発明を実施するための最良の形態】
【００１６】
以下、本発明の各実施形態について図面を参照して詳細に説明する。
図１は、本発明の一実施形態である携帯端末装置の外観の一例を示す正面図で、図中、１０は携帯端末装置で、該携帯端末装置１０は、図示しない基地局と所定の周波数帯域による電波の送受信を行うアンテナ部１，アンテナ部１を支持する筐体部２から構成されている。筐体部２には、その上部にスピーカ３，スピーカ３の下には電話番号などの表示を行う液晶表示画面からなる表示部４，表示部４の下には電話番号などの入力に使用する複数の操作キー群からなるキー操作入力部５，キー操作入力部５の下にはマイク６が配置されている。以下、本発明の携帯端末装置１０を、テレビジョン受信機能などを備えた携帯電話（ＰＨＳ含む）に適用した場合を代表例として説明するものとするが、携帯電話に限らず、上記テレビジョン受信機能を備えたＰＤＡなどの携帯端末装置全般に適用可能とする。
【００１７】
図２は、図１に示した携帯端末装置１０の電気的構成例を示す概略機能ブロック図で、携帯端末装置（以下、携帯電話で代表する）１０は、アンテナ部１，スピーカ３，表示部４，キー操作入力部５，マイク６の他に、アンテナ部１で受信した信号を処理する無線部７，無線部７における通信プロトコル制御及びユーザインタフェイス等の制御や電話番号の変換アルゴリズムを行う主制御部８，主制御部８による通信プロトコル制御によって確立された通話チャンネルを用いて送信されてくる信号を復調すると共に、送信する信号を変調することによって相手側との通話経路を形成する通話制御部９，アンテナ部１が回転したときの回転方向を検出する回転検出部１１，各種データを格納するためのデータ格納部１２で構成されている。
【００１８】
また、スピーカ３は、通話制御部９によって形成された通話経路より送出された音声信号を外部に放音し、マイク６は、外部音声を収音して電気信号に変換し、当該変換した音声信号を通話制御部９によって形成された通話経路に送出する。上記スピーカ３及びマイク６によって相手側との通話を行うハンドセットを構成する。尚、テレビジョン受信機能を備える場合、図示しないテレビチューナ部を備える構成としてもよい。
【００１９】
（第１の実施形態）
図３は、図１に示したアンテナ部１の周辺構造を正面から見たときの断面概要を示す部分断面図で、筐体部２は、アンテナ部１を回転可能に収納するための筒状のアンテナ収納部２０を有している。アンテナ部１は、拡径したアンテナヘッド部１ａ，アンテナヘッド部１ａに接続され伸縮可能なアンテナ伸縮部（アンテナ軸）１ｃ，アンテナ伸縮部１ｃの少なくとも一部に設けられた突起部１ｂから構成されている。アンテナ収納部２０の壁面には、突起部１ｂの配置に合わせて操作ボタン２１が３つ以上設けられており、アンテナ部１が図示のいずれかの方向（右回りあるいは左回り）に回転すると、その回転に合わせて突起部１ｂが回転し、この突起部１ｂによりいずれかの操作ボタン２１を押下げるように構成されている。尚、本例では、図中右側の操作ボタン２１が突起部１ｂにより押下げられた状態を示す。
【００２０】
図４は、図１に示したアンテナ部１の周辺構造を上面から見たときの断面概要を示す部分断面図である。本例では、アンテナ部１の突起部１ｂに対向するアンテナ収納部２０の壁面に、操作ボタン２１が０度，９０度，１８０度，２７０度の位置に４つ配置されている。この４つの操作ボタン２１は、ばねなどの弾性部材２４によってアンテナ部１の方向にそれぞれ付勢されており、アンテナ部１の突起部１ｂが回転することにより、いずれかの操作ボタン２１が押下される。
【００２１】
さらに、押下された操作ボタン２１（本例では、図中右側の操作ボタン２１）によって筐体部２に設けられている金属ドーム２２が変形し、変形した金属ドーム２２が回路基板２３に接触することにより実際に操作ボタン２１が押下されたことを認識する。このとき、突起部１ｂにより押下された操作ボタン２１の位置情報を突起部１ｂの位置情報としてデータ格納部１１に記憶しておく。これにより、次にアンテナ部１の回転操作を行ったときに、回転検出部１１が、前回位置から見て、アンテナ部１が右回りに回転したのか、左回りに回転したのか、その回転方向を判定することができる。
【００２２】
すなわち、回転検出部１１は、アンテナ部１の回転時に、突起部１ｂによりいずれかの操作ボタン２１が押下され、押下された操作ボタン２１の位置情報を突起部１ｂの前回位置情報とし、さらに、アンテナ部１が回転されたときに、突起部１ｂにより押下された他の操作ボタン２１の位置情報を突起部１ｂの次回位置情報とし、前回位置情報及び次回位置情報からアンテナ部１のアンテナ収納部２０に対する回転方向を検出する。これにより、検出された回転方向に予め関連付けられた機能が実行可能となる。
【００２３】
ここで、アンテナ部１の回転方向を検出するためには少なくとも３つの操作ボタン２１が配置されていればよく、この配置は任意に決定することができる。また、アンテナ部１の回転方向（右回りあるいは左回り）には予め機能を関連付けておく。例えば、右回りが番組リストの上方向（降順）の選局を行う機能、左回りが番組の下方向（昇順）の選局を行う機能を設定しておく。具体的には、テレビジョン受信機能で８ｃｈを受信中に、アンテナ部１を回転させ、右回りと判定した場合、チャンネル番号を降順（例えば、６ｃｈ→４ｃｈの順）に選局を行い、左回りと判定した場合、チャンネル番号を昇順（例えば、１０ｃｈ→１２ｃｈの順）に選局を行う。
【００２４】
また、アンテナ部１の回転方向に関連付け可能な機能は、上記チャンネル切り替え機能に限定されず、ページ切り替え機能やスクロール機能などのように連続で操作キーを押下することで実行される機能全般に適用可能であり、例えば、携帯電話１０にデジタルカメラ機能を内蔵している場合には、撮影した画像データをページ切り替えして１枚づつ閲覧するような場合にも適用できる。
【００２５】
このように、使用者はアンテナ部を回転させることで、操作ボタンを突起部で連続して押下することができるため、従来、連続で操作キーを押すことで実行されていた機能と同様の機能を、アンテナ部の回転動作だけで実行できる。また、使用者はアンテナ部を回転させ、操作ボタンを突起部で押下したときに、その操作ボタンからの反発力を抵抗感として感じることができるため、押下した回数等がわかり、自分が行った操作を把握しやすくなる。
【００２６】
（第２の実施形態）
図５は、図１に示したアンテナ部１の周辺構造を上面から見たときの他の断面概要を示す部分断面図である。本例では、アンテナ部１の突起部１ｂに対向するアンテナ収納部２０の壁面に、距離センサ２５が０度，９０度，１８０度，２７０度の位置に４つ配置されている。この４つの距離センサ２５は、それぞれ回路基板２３に接続され、アンテナ部１の突起部１ｂが回転して、突起部１ｂをいずれかの距離センサ２５が検出することで、図４に示した操作ボタン２１が押下されたのと同様の認識を行う。
【００２７】
より詳しくは、アンテナ部１の突起部１ｂが回転して、突起部１ｂがいずれかの距離センサ２５の前面にきた時点あるいは前面を通過した時点で、該当する距離センサ２５（本例では、図中右側の距離センサ２５）及び回路基板２３がアンテナ部１との距離の変化（すなわち、突起部１ｂが距離センサ２５の近傍にくることで計測距離が短く変化する）を検出し、図４に示した操作ボタン２１が押下されたのと同様の認識を行う。このとき、突起部１ｂを検出した距離センサ２５の位置情報を突起部１ｂの位置情報としてデータ格納部１１に記憶しておく。これにより、次にアンテナ部１の回転操作を行ったときに、回転検出部１１が、前回位置から見て、アンテナ部１が右回りに回転したのか、左回りに回転したのか、その回転方向を判定することができる。
【００２８】
すなわち、回転検出部１１は、アンテナ部１の回転時に、突起部１ｂをいずれかの距離センサ２５が検出し、検出した距離センサ２５の位置情報を突起部１ｂの前回位置情報とし、さらに、アンテナ部１が回転されたときに、突起部１ｂを検出した他の距離センサ２５の位置情報を突起部１ｂの次回位置情報とし、前回位置情報及び次回位置情報からアンテナ部１のアンテナ収納部２０に対する回転方向を検出する。これにより、検出された回転方向に予め関連付けられた機能が実行可能となる。
【００２９】
ここで、前述の第１の実施形態と同様に、本実施形態においても、アンテナ部１の回転方向を検出するためには少なくとも３つの距離センサ２５が配置されていればよく、この配置は任意に決定することができる。
【００３０】
このように、使用者はアンテナ部を回転させ、距離センサで突起部を検出することにより、操作ボタンを突起部で連続して押下するのと同様に、従来、連続で操作キーを押すことで実行されていた機能と同様の機能を、アンテナ部の回転動作だけで実行できる。
【００３１】
尚、アンテナ部１を回転させたときに、突起部１ｂの位置を検出するための検出手段として、操作ボタン（第１の実施形態）、距離センサ（第２の実施形態）を代表例として説明したが、上記検出手段は、これらに限定されるものではなく、突起部１ｂの位置を接触あるいは非接触で検出できるものであればよく、例えば、圧電素子などを好適に利用することができる。
【００３２】
図６は、図４に示したアンテナ部１が回転したときの動作例を説明するためのフロー図である。尚、本例は、図１及び図４に示した携帯電話１０の構成に基づいて、使用者がテレビジョン受信機能を利用してテレビ放送を視聴中にチャンネルを切り替える際の携帯電話１０の操作方法について説明する。
まず、使用者がアンテナ部１を時計回りに回転させる。携帯電話１０は、突起部１ｂによる操作ボタン２１の押下を検出したかどうかを判断し（ステップＳ１）、操作ボタン２１の押下を検出した場合（ＹＥＳの場合）、その操作ボタン２１の位置情報をデータ格納部１２に格納する（ステップＳ２）。また、上記ステップＳ１において、操作ボタン２１の押下を検出していない場合（ＮＯの場合）、操作ボタン２１の入力待ち状態となる。
【００３３】
次に、携帯電話１０は、任意の入力待ち時間を設定するためのタイマを起動し（ステップＳ３）、次の操作ボタン２１の入力待ち状態となり、上記入力待ち時間のタイムアウトの発生を判断する（ステップＳ４）。タイムアウトした場合（ＹＥＳの場合）、そのまま終了する。また、上記ステップＳ４で設定した入力待ち時間内で（ＮＯの場合）、前回押下された操作ボタン２１以外の他の操作ボタン２１の押下を検出したかどうかを判断し（ステップＳ５）、他の操作ボタン２１の押下を検出しない場合（ＮＯの場合）、上記ステップＳ４に戻り、入力待ち状態となる。
【００３４】
また、携帯電話１０は、上記ステップＳ５において、他の操作ボタン２１の押下を検出した場合（ＹＥＳの場合）、上記ステップＳ３で起動したタイマをリスタートし（ステップＳ６）、データ格納部１２に記憶されている、突起部１ｂに前回押下された操作ボタン２１の位置情報と、突起部１ｂに今回押下された他の操作ボタン２１の位置情報から、アンテナ部１が右回りあるいは左回りに回されたかを判定する（ステップＳ７）。
【００３５】
例えば、右回りが番組リストの上方向（降順）の選局を行う機能、左回りが番組の下方向（昇順）の選局を行う機能に設定されていた場合、携帯電話１０は、上記ステップＳ７において、右回りと判定した場合（ＹＥＳの場合）、右回転動作として、番組リスト上で現在選局中のチャンネルよりひとつ上のチャンネルの選局処理を行い（ステップＳ８）、一方、上記ステップＳ７において、左回りと判定した場合（ＮＯの場合）、左回転動作として、番組リスト上で現在選局中のチャンネルよりひとつ下の選局処理を行う（ステップＳ９）。さらに、上記ステップＳ４に戻り、上記ステップＳ３で設定したタイムアウトが発生するまで、アンテナ部１の回転による操作ボタン２１の入力待ち状態となる。
【図面の簡単な説明】
【００３６】
【図１】本発明の一実施形態である携帯端末装置の外観の一例を示す正面図である。
【図２】図１に示した携帯端末装置の電気的構成例を示す概略機能ブロック図である。
【図３】図１に示したアンテナ部の周辺構造を正面から見たときの断面概要を示す部分断面図である。
【図４】図１に示したアンテナ部の周辺構造を上面から見たときの断面概要を示す部分断面図である。
【図５】図１に示したアンテナ部の周辺構造を上面から見たときの他の断面概要を示す部分断面図である。
【図６】図４に示したアンテナ部が回転したときの動作例を説明するためのフロー図である。
【符号の説明】
【００３７】
１…アンテナ部、１ａ…アンテナヘッド部、１ｂ…突起部、１ｃ…アンテナ伸縮部、２…筐体部、３…スピーカ、４…表示部、５…キー操作入力部、６…マイク、７…無線部、８…主制御部、９…通話制御部、１０…携帯端末装置（携帯電話）、１１…回転検出部、１２…データ格納部、２０…アンテナ収納部、２１…操作ボタン、２２…金属ドーム、２３…回路基板、２４…弾性部材、２５…距離センサ。
【図１】
2005328234.tif 000003
【図２】
2005328234.tif 000004
【図３】
2005328234.tif 000005
【図４】
2005328234.tif 000006
【図５】
2005328234.tif 000007
【図６】
2005328234.tif 000008